(57)【特許請求の範囲】
【請求項１】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるパス設定情報広告方法において、
新規にＯ−ＬＳＰまたはＥ−ＬＳＰが設定されたときには、当該Ｏ−ＬＳＰまたはＥ−ＬＳＰの設定に係わるノードが保持する当該Ｏ−ＬＳＰまたはＥ−ＬＳＰの設定情報を特定の条件を満たした場合に限定して全ノードに広告し、
新規に設定したＯ−ＬＳＰまたはＥ−ＬＳＰに一定時間経過後にトラヒックが存在しない場合あるいは一定時間経過後にもトラヒックが存在するが当該トラヒックを他のＯ−ＬＳＰまたはＥ−ＬＳＰに移せる場合は当該Ｏ−ＬＳＰまたはＥ−ＬＳＰを開放する
ことを特徴とするパス設定情報広告方法。
【請求項２】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるパス設定情報広告方法において、
新規にＯ−ＬＳＰまたはＥ−ＬＳＰが設定されたときには、当該Ｏ−ＬＳＰまたはＥ−ＬＳＰの設定に係わるノードが保持する当該Ｏ−ＬＳＰまたはＥ−ＬＳＰの設定情報を特定の条件を満たした場合に限定して全ノードに広告し、
新規に設定したＯ−ＬＳＰまたはＥ−ＬＳＰに一定時間経過後にネットワーク全体で共通に設定された閾値を超えるトラヒックが存在しない場合は当該トラヒックを他のＯ−ＬＳＰまたはＥ−ＬＳＰに移して前記新規に設定したＯ−ＬＳＰまたはＥ−ＬＳＰを開放する
ことを特徴とするパス設定情報広告方法。
【請求項３】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるパス設定情報広告方法において、
新規にＯ−ＬＳＰまたはＥ−ＬＳＰが設定されたときには、当該Ｏ−ＬＳＰまたはＥ−ＬＳＰの設定に係わるノードが保持する当該Ｏ−ＬＳＰまたはＥ−ＬＳＰの設定情報を新規に設定したＯ−ＬＳＰまたはＥ−ＬＳＰが一定時間経過後においても開放されない条件を満たした場合に限定して全ノードに広告する
ことを特徴とするパス設定情報広告方法。
【請求項４】
前記特定の条件は、新規に設定したＯ−ＬＳＰまたはＥ−ＬＳＰが一定時間経過後においても開放されない条件である
請求項１または２記載のパス設定情報広告方法。
【請求項５】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるパス設定情報広告方法において、
新規にＯ−ＬＳＰまたはＥ−ＬＳＰが設定されたときには、当該Ｏ−ＬＳＰまたはＥ−ＬＳＰの設定に係わるノードが保持する当該Ｏ−ＬＳＰまたはＥ−ＬＳＰの設定情報を新規に設定したＯ−ＬＳＰに一定時間経過後にＥ−ＬＳＰが設定されるときに付与されるプライオリティの内で当該プライオリティの高低を決定する閾値を超えるプライオリティのＥ−ＬＳＰが設定された条件を満たした場合に限定して全ノードに広告する
ことを特徴とするパス設定情報広告方法。
【請求項６】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるパス設定情報広告方法において、
新規にＯ−ＬＳＰまたはＥ−ＬＳＰが設定されたときには、当該Ｏ−ＬＳＰまたはＥ−ＬＳＰの設定に係わるノードが保持する当該Ｏ−ＬＳＰまたはＥ−ＬＳＰの設定情報を特定の条件を満たした場合に限定して全ノードに広告し、
新規に設定したＯ−ＬＳＰに一定時間経過後にＥ−ＬＳＰが設定されるときに付与されるプライオリティの内で当該プライオリティの高低を決定する閾値を超えないプライオリティのＥ−ＬＳＰが設定されたときには当該Ｅ−ＬＳＰを他のＯ−ＬＳＰに移して前記新規に設定されたＯ−ＬＳＰを開放する
ことを特徴とするパス設定情報広告方法。
【請求項７】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるパス設定情報広告方法において、
新規にＯ−ＬＳＰまたはＥ−ＬＳＰが設定されたときには、当該Ｏ−ＬＳＰまたはＥ−ＬＳＰの設定に係わるノードが保持する当該Ｏ−ＬＳＰまたはＥ−ＬＳＰの設定情報を特定の条件を満たした場合に限定して全ノードに広告し、
広告が行われない新規に設定したＯ−ＬＳＰまたはＥ−ＬＳＰに係わるノードに対して他ノードから新規のＯ−ＬＳＰまたはＥ−ＬＳＰの設定要求があるときには当該設定要求を拒否する
ことを特徴とするパス設定情報広告方法。
【請求項８】
広告が行われない新規に設定したＯ−ＬＳＰまたはＥ−ＬＳＰに係わるノードに対して他ノードから新規のＯ−ＬＳＰまたはＥ−ＬＳＰの設定要求があるときには当該設定要求を拒否する
請求項１ないし６のいずれか記載のパス設定情報広告方法。
【請求項９】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるパス設定情報広告方法において、
新規にＯ−ＬＳＰまたはＥ−ＬＳＰが設定されたときには、当該Ｏ−ＬＳＰまたはＥ−ＬＳＰの設定に係わるノードが保持する当該Ｏ−ＬＳＰまたはＥ−ＬＳＰの設定情報を特定の条件を満たした場合に限定して全ノードに広告し、
Ｅ−ＬＳＰが設定されるときに付与されるプライオリティの内で当該プライオリティの高低を決定する閾値を超えるプライオリティのＥ−ＬＳＰは、全ノードに設定情報が広告されていないＯ−ＬＳＰ上への設定を禁止する
ことを特徴とするパス設定情報広告方法。
【請求項１０】
Ｅ−ＬＳＰが設定されるときに付与されるプライオリティの内で当該プライオリティの高低を決定する閾値を超えるプライオリティのＥ−ＬＳＰは、全ノードに設定情報が広告されていないＯ−ＬＳＰ上への設定を禁止する請求項１ないし４のいずれかに記載のパス設定情報広告方法。
【請求項１１】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるノードにおいて、
自ノードが新規に設定されたＯ−ＬＳＰまたはＥ−ＬＳＰに係わるノードであるときには、自ノードが保持する当該Ｏ−ＬＳＰまたはＥ−ＬＳＰの設定情報を特定の条件を満たした場合に限定して全ノードに広告する手段を備え、
新規に設定したＯ−ＬＳＰまたはＥ−ＬＳＰに一定時間経過後にトラヒックが存在しない場合あるいは一定時間経過後にもトラヒックが存在するが当該トラヒックを他のＯ−ＬＳＰまたはＥ−ＬＳＰに移せる場合は当該Ｏ−ＬＳＰまたはＥ−ＬＳＰを開放する手段を備えた
ことを特徴とするノード。
【請求項１２】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるノードにおいて、
自ノードが新規に設定されたＯ−ＬＳＰまたはＥ−ＬＳＰに係わるノードであるときには、自ノードが保持する当該Ｏ−ＬＳＰまたはＥ−ＬＳＰの設定情報を特定の条件を満たした場合に限定して全ノードに広告する手段を備え、
新規に設定したＯ−ＬＳＰまたはＥ−ＬＳＰに一定時間経過後にネットワーク全体で共通に設定された閾値を超えるトラヒックが存在しない場合は当該トラヒックを他のＯ−ＬＳＰまたはＥ−ＬＳＰに移して前記新規に設定したＯ−ＬＳＰまたはＥ−ＬＳＰを開放する手段を備えた
ことを特徴とするノード。
【請求項１３】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるノードにおいて、
自ノードが新規に設定されたＯ−ＬＳＰまたはＥ−ＬＳＰに係わるノードであるときには、自ノードが保持する当該Ｏ−ＬＳＰまたはＥ−ＬＳＰの設定情報を新規に設定したＯ−ＬＳＰまたはＥ−ＬＳＰが前記開放する手段により一定時間経過後においても開放されない条件を満たした場合に限定して全ノードに広告する手段を備えた
ことを特徴とするノード。
【請求項１４】
前記特定の条件は、新規に設定したＯ−ＬＳＰまたはＥ−ＬＳＰが前記開放する手段により一定時間経過後においても開放されない条件である請求項１１または１２記載のノード。
【請求項１５】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるノードにおいて、
自ノードが新規に設定されたＯ−ＬＳＰまたはＥ−ＬＳＰに係わるノードであるときには、自ノードが保持する当該Ｏ−ＬＳＰまたはＥ−ＬＳＰの設定情報を新規に設定したＯ−ＬＳＰに一定時間経過後にＥ−ＬＳＰが設定されるときに付与されるプライオリティの内で当該プライオリティの高低を決定する閾値を超えるプライオリティのＥ−ＬＳＰが設定された条件を満たした場合に限定して全ノードに広告する手段を備えた
ことを特徴とするノード。
【請求項１６】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるノードにおいて、
自ノードが新規に設定されたＯ−ＬＳＰまたはＥ−ＬＳＰに係わるノードであるときには、自ノードが保持する当該Ｏ−ＬＳＰまたはＥ−ＬＳＰの設定情報を新規に設定したＯ−ＬＳＰに一定時間経過後にＥ−ＬＳＰが設定されるときに付与されるプライオリティの内で当該プライオリティの高低を決定する閾値を超えるプライオリティのＥ−ＬＳＰが設定された条件を満たした場合に限定して全ノードに広告する手段を備え、
新規に設定したＯ−ＬＳＰに一定時間経過後にＥ−ＬＳＰが設定されるときに付与されるプライオリティの内で当該プライオリティの高低を決定する閾値を超えないプライオリティのＥ−ＬＳＰが設定されたときには当該Ｅ−ＬＳＰを他のＯ−ＬＳＰに移して前記新規に設定されたＯ−ＬＳＰを開放する手段を備えた
ことを特徴とするノード。
【請求項１７】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるノードにおいて、
自ノードが新規に設定されたＯ−ＬＳＰまたはＥ−ＬＳＰに係わるノードであるときには、自ノードが保持する当該Ｏ−ＬＳＰまたはＥ−ＬＳＰの設定情報を新規に設定したＯ−ＬＳＰまたはＥ−ＬＳＰが前記開放する手段により一定時間経過後においても開放されない条件を満たした場合に限定して全ノードに広告する手段を備え、
自ノードが前記広告する手段による広告が行われない新規に設定したＯ−ＬＳＰまたはＥ−ＬＳＰに係わるノードであるときに、他ノードから新規のＯ−ＬＳＰまたはＥ−ＬＳＰの設定要求があるときには当該設定要求を拒否する手段を備えた
ことを特徴とする記載のノード。
【請求項１８】
自ノードが前記広告する手段による広告が行われない新規に設定したＯ−ＬＳＰまたはＥ−ＬＳＰに係わるノードであるときに、他ノードから新規のＯ−ＬＳＰまたはＥ−ＬＳＰの設定要求があるときには当該設定要求を拒否する手段を備えた
請求項１１ないし１６のいずれかに記載のノード。
【請求項１９】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるノードにおいて、
自ノードが新規に設定されたＯ−ＬＳＰまたはＥ−ＬＳＰに係わるノードであるときには、自ノードが保持する当該Ｏ−ＬＳＰまたはＥ−ＬＳＰの設定情報を特定の条件を満たした場合に限定して全ノードに広告する手段を備え、
Ｅ−ＬＳＰが設定されるときに付与されるプライオリティの内で当該プライオリティの高低を決定する閾値を超えるプライオリティのＥ−ＬＳＰは、全ノードに設定情報が広告されていないＯ−ＬＳＰ上への設定を禁止する手段を備えた
ことを特徴とする記載のノード。
【請求項２０】
Ｅ−ＬＳＰが設定されるときに付与されるプライオリティの内で当該プライオリティの高低を決定する閾値を超えるプライオリティのＥ−ＬＳＰは、全ノードに設定情報が広告されていないＯ−ＬＳＰ上への設定を禁止する手段を備えた請求項１１または１２に記載のノード。
【発明の詳細な説明】
【０００１】
【発明の属する技術分野】
本発明は、光波長による光パスとそれを用いた電気パスのマルチ階層構成の光ネットワークにおけるパス設定情報の広告方法に関する。
【０００２】
【従来の技術】
パケット単位のスイッチおよび転送を行う複数のサブネットワークと、このサブネットワーク間を接続する光伝送路と、この光伝送路を終端するノードとを備えた光ネットワークが知られている。
【０００３】
このような光ネットワークでは、光伝送路およびノードにより構成される光波長リンクの両端に、光波長単位のスイッチが可能な光波長スイッチングケーパビリティ（ＬＳＣは記す）およびパケット単位のスイッチが可能なパケットスイッチングケーパビリティ（ＰＳＣと記す）がそれぞれ設けられている。さらに、両端にＬＳＣを備えた光波長リンク（Ｏ−ＬＳＰと記す）は、両端にＰＳＣを備えたパケットリンク（Ｅ−ＬＳＰと記す）に含まれる。
【０００４】
このような光ネットワークは、Ｏ−ＬＳＰとＥ−ＬＳＰとの２階層構造を有するので、マルチレイヤ光ネットワークと呼ばれる。このようなマルチレイヤ光ネットワークでは、パケットのＩＰ転送を行う際に、途中の経路ではＯ−ＬＳＰにより光信号パケットとして転送されるため、全経路を電気信号パケットとして転送される場合と比較して伝送速度や多重数を大きくできるなどの光伝送路が有する多数の有益な効果を得ることができる。
【０００５】
【発明が解決しようとする課題】
従来のマルチレイヤ光ネットワークでは、Ｏ−ＬＳＰとＥ−ＬＳＰとは独立に運営され、Ｅ−ＬＳＰの需要やトラヒック変動などでＯ−ＬＳＰを自由に変更することはできない。
【０００６】
すなわち、Ｏ−ＬＳＰは専用線などにより固定的であったため、パケットトラヒックの変動に即応できない、あるいは、Ｏ−ＬＳＰのリソースを有効に活用できないといった問題がある。さらにＯ−ＬＳＰを変更する場合は、光ネットワーク運営事業者に申請し、光ネットワーク運営事業者が人手によりＯ−ＬＳＰを切り替え、設定する必要があるなどの問題がある。
【０００７】
また、光ネットワーク内の全ノードが同じパス設定情報を持つことにより、各ノードが独自に効率のよいパス経路を計算することができるが、一時的なトラヒック増に対応するために設定したパスの情報まで全ノードに広告するのは不必要であり、煩雑である。
【０００８】
本発明は、このような背景に行われたものであって、光パスおよび電気パスの設定情報の広告を必要最小限とし、効率的な運用を図ることができるマルチレイヤ光ネットワークにおけるパス設定情報広告方法およびノードを提供することを目的とする。
【０００９】
【課題を解決するための手段】
本発明は、軽微なパス設定あるいは短時間で開放されるパス設定に関しては全ネットワークへの広告を抑制することにより、トポロジ情報更新の全ネットワークへの波及を阻止し、各ノードの処理負荷を軽減させることにより、ネットワークの効率的な運用を実現することを特徴とする。
【００１０】
すなわち、本発明の第一の観点は、パケット単位のスイッチおよび転送を行う複数のサブネットワークと、このサブネットワーク間を接続する光伝送路と、この光伝送路を終端するノードとを備え、前記光伝送路および前記ノードにより構成される光波長リンクの両端に光波長単位のスイッチが可能なＬＳＣおよびパケット単位のスイッチが可能なＰＳＣがそれぞれ設けられ、両端にＬＳＣを備えたＯ−ＬＳＰと、このＯ−ＬＳＰを含み両端にＰＳＣを備えたＥ−ＬＳＰとの２階層構造を持つマルチレイヤ光ネットワークに適用されるパス設定情報広告方法である。
【００１１】
ここで、本発明の特徴とするところは、新規にＯ−ＬＳＰまたはＥ−ＬＳＰが設定されたときには、当該Ｏ−ＬＳＰまたはＥ−ＬＳＰの設定に係わるノードが保持する当該Ｏ−ＬＳＰまたはＥ−ＬＳＰの設定情報を特定の条件を満たした場合に限定して全ノードに広告するところにある。
【００１２】
これにより、光パスおよび電気パスの設定情報の広告を必要最小限とし、効率的な運用を図ることができる。
【００１３】
新規に設定したＯ−ＬＳＰまたはＥ−ＬＳＰに一定時間経過後にトラヒックが存在しない場合あるいは一定時間経過後にもトラヒックが存在するが当該トラヒックを他のＯ−ＬＳＰまたはＥ−ＬＳＰに移せる場合は当該Ｏ−ＬＳＰまたはＥ−ＬＳＰを開放することが望ましい。
【００１４】
あるいは、新規に設定したＯ−ＬＳＰまたはＥ−ＬＳＰに一定時間経過後にネットワーク全体で共通に設定された閾値を超えるトラヒックが存在しない場合は当該トラヒックを他のＯ−ＬＳＰまたはＥ−ＬＳＰに移して前記新規に設定したＯ−ＬＳＰまたはＥ−ＬＳＰを開放することが望ましい。
【００１５】
これにより、効率の悪いＯ−ＬＳＰまたはＥ−ＬＳＰの設定を回避してネットワークリソースを有効に利用することができる。後者の場合には、閾値を変更することにより、規制の対象となるトラヒック量を任意に設定することができる。なお、閾値を超えるトラヒックが存在しない場合は当該トラヒックを他のＯ−ＬＳＰまたはＥ−ＬＳＰに移すので、当該閾値はトラヒックを他へ移すことが容易であるトラヒック量とすることが望ましい。
【００１６】
前記特定の条件は、例えば、新規に設定したＯ−ＬＳＰまたはＥ−ＬＳＰが一定時間経過後においても開放されない条件である。
【００１７】
このような場合には、新規に設定したＯ−ＬＳＰまたはＥ−ＬＳＰは長時間存続することが予想されるので、全ノードに対して広告を行う。
【００１８】
前記特定の条件は、例えば、新規に設定したＯ−ＬＳＰに一定時間経過後にＥ−ＬＳＰが設定されるときに付与されるプライオリティの内で当該プライオリティの高低を決定する閾値を超えるプライオリティのＥ−ＬＳＰが設定された条件である。
【００１９】
このような高いプライオリティのＥ−ＬＳＰが設定された場合には、トラヒック量を観測しなくてもトラヒック量は多いことが予想され、新規に設定したＯ−ＬＳＰは長時間存続することが予想されるので、全ノードに対して広告を行う。
【００２０】
新規に設定したＯ−ＬＳＰに一定時間経過後にＥ−ＬＳＰが設定されるときに付与されるプライオリティの内で当該プライオリティの高低を決定する閾値を超えないプライオリティのＥ−ＬＳＰが設定されたときには当該Ｅ−ＬＳＰを他のＯ−ＬＳＰに移して前記新規に設定されたＯ−ＬＳＰを開放することもできる。
【００２１】
このような低いプライオリティのＥ−ＬＳＰが設定された場合には、トラヒック量を観測しなくてもトラヒック量は少ないことが予想されるので、当該Ｅ−ＬＳＰを他のＯ−ＬＳＰに移して前記新規に設定されたＯ−ＬＳＰを開放することにより、ネットワークリソースを有効に利用することができる。
【００２２】
広告が行われない新規に設定したＯ−ＬＳＰまたはＥ−ＬＳＰに係わるノードに対して他ノードから新規のＯ−ＬＳＰまたはＥ−ＬＳＰの設定要求があるときには当該設定要求を拒否することが望ましい。
【００２３】
すなわち、広告が行われない新規に設定したＯ−ＬＳＰまたはＥ−ＬＳＰは、短時間後に開放されることが前提である。したがって、他ノードから新規のＯ−ＬＳＰまたはＥ−ＬＳＰの設定要求があり、もし、その要求を受け入れたことにより、当該Ｏ−ＬＳＰまたはＥ−ＬＳＰが長時間存続することになった場合には、改めて広告を行う等の煩雑な処理を施す必要が生じるため、そのような要求は拒否することが望ましい。
【００２４】
Ｅ−ＬＳＰが設定されるときに付与されるプライオリティの内で当該プライオリティの高低を決定する閾値を超えるプライオリティのＥ−ＬＳＰは、全ノードに設定情報が広告されていないＯ−ＬＳＰ上への設定を禁止することが望ましい。
【００２５】
このように、高いプライオリティのＥ−ＬＳＰは、トラヒック量が多いことがあらかじめ予想されるので、設定が広告されたＯ−ＬＳＰに当該Ｅ−ＬＳＰの設定を行うことが望ましい。すなわち、広告が行われていない未知のＯ−ＬＳＰ上への設定を要求した場合には、前記設定要求を拒否する手段により設定要求を拒否される可能性があり、プライオリティの高いトラヒックが滞留する結果を招く危険性があるため、高いプライオリティのＥ−ＬＳＰは、全ノードに設定情報が広告されていないＯ−ＬＳＰ上への設定を禁止することが望ましい。
【００２６】
また、広告が行われていないＯ−ＬＳＰは、短時間に開放されることを前提に設定されており、そのようなＯ−ＬＳＰに高いプライオリティのＥ−ＬＳＰが設定されると、そのＯ−ＬＳＰは長時間継続して設定されるＯ−ＬＳＰとして全ノードへの再広告が必要になり、再広告のための処理が煩雑になるので、本発明では、高いプライオリティのＥ−ＬＳＰが広告が行われていないＯ−ＬＳＰに設定されることを禁止することが望ましいとする。
【００２７】
本発明の第二の観点は、パケット単位のスイッチおよび転送を行う複数のサブネットワークと、このサブネットワーク間を接続する光伝送路と、この光伝送路を終端するノードとを備え、前記光伝送路および前記ノードにより構成される光波長リンクの両端に光波長単位のスイッチが可能なＬＳＣおよびパケット単位のスイッチが可能なＰＳＣがそれぞれ設けられ、両端にＬＳＣを備えたＯ−ＬＳＰと、このＯ−ＬＳＰを含み両端にＰＳＣを備えたＥ−ＬＳＰとの２階層構造を持つマルチレイヤ光ネットワークに適用されるノードである。
【００２８】
ここで、本発明の特徴とするところは、自ノードが新規に設定されたＯ−ＬＳＰまたはＥ−ＬＳＰに係わるノードであるときには、自ノードが保持する当該Ｏ−ＬＳＰまたはＥ−ＬＳＰの設定情報を特定の条件を満たした場合に限定して全ノードに広告する手段を備えたところにある。
【００２９】
新規に設定したＯ−ＬＳＰまたはＥ−ＬＳＰに一定時間経過後にトラヒックが存在しない場合あるいは一定時間経過後にもトラヒックが存在するが当該トラヒックを他のＯ−ＬＳＰまたはＥ−ＬＳＰに移せる場合は当該Ｏ−ＬＳＰまたはＥ−ＬＳＰを開放する手段を備えることが望ましい。
【００３０】
あるいは、新規に設定したＯ−ＬＳＰまたはＥ−ＬＳＰに一定時間経過後にネットワーク全体で共通に設定された閾値を超えるトラヒックが存在しない場合は当該トラヒックを他のＯ−ＬＳＰまたはＥ−ＬＳＰに移して前記新規に設定したＯ−ＬＳＰまたはＥ−ＬＳＰを開放する手段を備えることもできる。
【００３１】
前記特定の条件は、例えば、新規に設定したＯ−ＬＳＰまたはＥ−ＬＳＰが前記開放する手段により一定時間経過後においても開放されない条件である。
【００３２】
前記特定の条件は、例えば、新規に設定したＯ−ＬＳＰに一定時間経過後にＥ−ＬＳＰが設定されるときに付与されるプライオリティの内で当該プライオリティの高低を決定する閾値を超えるプライオリティのＥ−ＬＳＰが設定された条件である。
【００３３】
新規に設定したＯ−ＬＳＰに一定時間経過後にＥ−ＬＳＰが設定されるときに付与されるプライオリティの内で当該プライオリティの高低を決定する閾値を超えないプライオリティのＥ−ＬＳＰが設定されたときには当該Ｅ−ＬＳＰを他のＯ−ＬＳＰに移して前記新規に設定されたＯ−ＬＳＰを開放する手段を備えることもできる。
【００３４】
自ノードが前記広告する手段による広告が行われない新規に設定したＯ−ＬＳＰまたはＥ−ＬＳＰに係わるノードであるときに、他ノードから新規のＯ−ＬＳＰまたはＥ−ＬＳＰの設定要求があるときには当該設定要求を拒否する手段を備えることが望ましい。
【００３５】
Ｅ−ＬＳＰが設定されるときに付与されるプライオリティの内で当該プライオリティの高低を決定する閾値を超えるプライオリティのＥ−ＬＳＰは、全ノードに設定情報が広告されていないＯ−ＬＳＰ上への設定を禁止する手段を備えることが望ましい。
【００３６】
本発明の第三の観点は、本発明のノードを備えたことを特徴とするマルチレイヤ光ネットワークである。
【００３７】
本発明の第四の観点は、情報処理装置にインストールすることにより、その情報処理装置に、パケット単位のスイッチおよび転送を行う複数のサブネットワークと、このサブネットワーク間を接続する光伝送路と、この光伝送路を終端するノードとを備え、前記光伝送路および前記ノードにより構成される光波長リンクの両端に光波長単位のスイッチが可能なＬＳＣおよびパケット単位のスイッチが可能なＰＳＣがそれぞれ設けられ、両端にＬＳＣを備えたＯ−ＬＳＰと、このＯ−ＬＳＰを含み両端にＰＳＣを備えたＥ−ＬＳＰとの２階層構造を持つマルチレイヤ光ネットワークに適用されるノードを制御する機能を実現させるプログラムである。
【００３８】
ここで、本発明の特徴とするところは、自ノードが新規に設定されたＯ−ＬＳＰまたはＥ−ＬＳＰに係わるノードであるときには、自ノードが保持する当該Ｏ−ＬＳＰまたはＥ−ＬＳＰの設定情報を特定の条件を満たした場合に限定して全ノードに広告する機能を実現させるところにある。
【００３９】
新規に設定したＯ−ＬＳＰまたはＥ−ＬＳＰに一定時間経過後にトラヒックが存在しない場合あるいは一定時間経過後にもトラヒックが存在するが当該トラヒックを他のＯ−ＬＳＰまたはＥ−ＬＳＰに移せる場合は当該Ｏ−ＬＳＰまたはＥ−ＬＳＰを開放する機能を実現させることが望ましい。
【００４０】
あるいは、新規に設定したＯ−ＬＳＰまたはＥ−ＬＳＰに一定時間経過後にネットワーク全体で共通に設定された閾値を超えるトラヒックが存在しない場合は当該トラヒックを他のＯ−ＬＳＰまたはＥ−ＬＳＰに移して前記新規に設定したＯ−ＬＳＰまたはＥ−ＬＳＰを開放する機能を実現させることが望ましい。
【００４１】
前記特定の条件は、例えば、新規に設定したＯ−ＬＳＰまたはＥ−ＬＳＰが前記開放する手段により一定時間経過後においても開放されない条件である。
【００４２】
前記特定の条件は、例えば、新規に設定したＯ−ＬＳＰに一定時間経過後にＥ−ＬＳＰが設定されるときに付与されるプライオリティの内で当該プライオリティの高低を決定する閾値を超えるプライオリティのＥ−ＬＳＰが設定された条件である。
【００４３】
新規に設定したＯ−ＬＳＰに一定時間経過後にＥ−ＬＳＰが設定されるときに付与されるプライオリティの内で当該プライオリティの高低を決定する閾値を超えないプライオリティのＥ−ＬＳＰが設定されたときには当該Ｅ−ＬＳＰを他のＯ−ＬＳＰに移して前記新規に設定されたＯ−ＬＳＰを開放する機能を実現させることもできる。
【００４４】
自ノードが前記広告する機能による広告が行われない新規に設定したＯ−ＬＳＰまたはＥ−ＬＳＰに係わるノードであるときに、他ノードから新規のＯ−ＬＳＰまたはＥ−ＬＳＰの設定要求があるときには当該設定要求を拒否する機能を実現させることが望ましい。
【００４５】
Ｅ−ＬＳＰが設定されるときに付与されるプライオリティの内で当該プライオリティの高低を決定する閾値を超えるプライオリティのＥ−ＬＳＰは、全ノードに設定情報が広告されていないＯ−ＬＳＰ上への設定を禁止する機能を実現させることが望ましい。
【００４６】
本発明の第五の観点は、本発明のプログラムが記録された前記情報処理装置読取可能な記録媒体である。本発明のプログラムは本発明の記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００４７】
これにより、コンピュータ装置等の情報処理装置を用いて、光パスおよび電気パスの設定情報の広告を必要最小限とし、効率的な運用を図ることができるマルチレイヤ光ネットワークおよびノードを実現することができる。
【００４８】
【発明の実施の形態】
本発明実施例のマルチレイヤ光ネットワークを図１を参照して説明する。図１は本実施例のマルチレイヤ光ネットワークの全体構成図である。１、２、３は光ネットワークのノード、４、５、６、７はサブネットワークのボーダルータ、８、９、１０はサブネットワーク、ＯＰ１、ＯＰ２、ＯＰ３は光パス（Ｏ−ＬＳＰ）、ＥＰ１、ＥＰ２、ＥＰ３は電気パス（Ｅ−ＬＳＰ）である。ボーダルータ４とボーダルータ５は光パスＯＰ１を用いて電気パスＥＰ１が設定されている。また、ボーダルータ６とボーダルータ７とは光パスＯＰ１および光パスＯＰ２を用いて電気パスＥＰ２が設定されている。電気パスＥＰ２はノード２で中継されている。
【００４９】
本実施例は、図１に示すように、パケット単位のスイッチおよび転送を行う複数のサブネットワーク８〜１０と、このサブネットワーク８〜１０間を接続するＯ−ＬＳＰである光パスＯＰ１〜ＯＰ３と、この光パスＯＰ１〜ＯＰ３を終端するノード１〜３とを備え、光パスＯＰ１〜ＯＰ３およびノード１〜３により構成される光波長リンクの両端に光波長単位のスイッチが可能なＬＳＣであるノード１〜３の他に、パケット単位のスイッチが可能なＰＳＣを有するノードとしてのボーダルータ４〜７がそれぞれ設けられ、このように、両端にノード１〜３を備えたＯ−ＬＳＰである光パスＯＰ１〜ＯＰ３と、この光パスＯＰ１〜ＯＰ３を含み両端にボーダルータ４〜７を備えたＥ−ＬＳＰである電気パスＥＰ１〜ＥＰ３との２階層構造を持つマルチレイヤ光ネットワークに適用されるノード１〜３またはボーダルータ４〜７である。
【００５０】
ここで、本実施例の特徴とするところは、ノード１〜３またはボーダルータ４〜７が新規に設定されたＯ−ＬＳＰまたはＥ−ＬＳＰに係わるノード１〜３またはボーダルータ４〜７であるときには、ノード１〜３またはボーダルータ４〜７が保持する当該Ｏ−ＬＳＰまたはＥ−ＬＳＰの設定情報を特定の条件を満たした場合に限定して全ノードに広告するところにある。
【００５１】
（第一実施例）
第一実施例のＯ−ＬＳＰまたはＥ−ＬＳＰの設定手順を図２を参照して説明する。図２は第一実施例のＯ−ＬＳＰまたはＥ−ＬＳＰの設定手順を示すフローチャートである。
【００５２】
第一実施例では、ノード１〜３またはボーダルータ４〜７は、新規に設定したＯ−ＬＳＰまたはＥ−ＬＳＰに一定時間経過後にトラヒックが存在しない場合あるいは一定時間経過後にもトラヒックが存在するが当該トラヒックを他のＯ−ＬＳＰまたはＥ−ＬＳＰに移せる場合は当該Ｏ−ＬＳＰまたはＥ−ＬＳＰを開放する。
【００５３】
すなわち、図２に示すように、ノード１〜３またはボーダルータ４〜７は、Ｏ−ＬＳＰまたはＥ−ＬＳＰを新規に設定し（ステップ１）、一定時間経過後に（ステップ２）、トラヒックを観測する（ステップ３）。この観測の結果、トラヒックが無ければ（ステップ４）、新規に設定したＯ−ＬＳＰまたはＥ−ＬＳＰを開放する（ステップ５）。また、ステップ３における観測の結果、トラヒックが有り（ステップ４）、そのトラヒックが他のＯ−ＬＳＰまたはＥ−ＬＳＰに移せれば（ステップ６）、新規に設定したＯ−ＬＳＰまたはＥ−ＬＳＰを開放する（ステップ５）。また、ステップ３における観測の結果、トラヒックが有り（ステップ４）、そのトラヒックが他のＯ−ＬＳＰまたはＥ−ＬＳＰに移せなければ（ステップ６）、新規に設定したＯ−ＬＳＰまたはＥ−ＬＳＰの設定を継続する（ステップ７）。
【００５４】
（第二実施例）
第二実施例のＯ−ＬＳＰまたはＥ−ＬＳＰの設定手順を図３を参照して説明する。図３は第二実施例のＯ−ＬＳＰまたはＥ−ＬＳＰの設定手順を示すフローチャートである。
【００５５】
第二実施例では、ノード１〜３またはボーダルータ４〜７は、新規に設定したＯ−ＬＳＰまたはＥ−ＬＳＰに一定時間経過後にネットワーク全体で共通に設定された閾値を超えるトラヒックが存在しない場合は当該トラヒックを他のＯ−ＬＳＰまたはＥ−ＬＳＰに移して前記新規に設定したＯ−ＬＳＰまたはＥ−ＬＳＰを開放する。
【００５６】
すなわち、図３に示すように、ノード１〜３またはボーダルータ４〜７は、Ｏ−ＬＳＰまたはＥ−ＬＳＰを新規に設定し（ステップ１）、一定時間経過後に（ステップ２）、トラヒックを観測する（ステップ３）。この観測の結果、トラヒックが閾値を超えていなければ（ステップ４）、新規に設定したＯ−ＬＳＰまたはＥ−ＬＳＰを他のＯ−ＬＳＰまたはＥ−ＬＳＰに移し（ステップ５）、新規に設定したＯ−ＬＳＰまたはＥ−ＬＳＰを開放する（ステップ６）。また、ステップ３における観測の結果、トラヒックが閾値を超えていれば（ステップ４）、新規に設定したＯ−ＬＳＰまたはＥ−ＬＳＰの設定を継続する（ステップ７）。
【００５７】
第二実施例におけるネットワーク全体で共通に設定された閾値は、トラヒック状況に応じて設定するが、閾値を超えていない場合には他のＯ−ＬＳＰまたはＥ−ＬＳＰに移すので、このときに、他へ移すことが容易に可能であるトラヒック量となるように閾値を設定する。
【００５８】
（第三実施例）
第三実施例の広告手順を図４を参照して説明する。図４は第三実施例の広告手順を示すフローチャートである。
【００５９】
第三実施例では、前記特定の条件は、ノード１〜３またはボーダルータ４〜７が新規に設定したＯ−ＬＳＰまたはＥ−ＬＳＰが一定時間経過後においても開放されない条件である。
【００６０】
すなわち、図４に示すように、ノード１〜３またはボーダルータ４〜７は、Ｏ−ＬＳＰまたはＥ−ＬＳＰを新規に設定し（ステップ１）、一定時間経過後に（ステップ２）、開放されていなければ（ステップ３）、全ノードに当該設定情報を広告する（ステップ４）。
【００６１】
（第四実施例）
第四実施例の広告手順を図５を参照して説明する。図５は第四実施例の広告手順を示すフローチャートである。
【００６２】
第四実施例では、前記特定の条件は、新規に設定したＯ−ＬＳＰに一定時間経過後にＥ−ＬＳＰが設定されるときに付与されるプライオリティの内で当該プライオリティの高低を決定する閾値を超えるプライオリティのＥ−ＬＳＰが設定された条件である。
【００６３】
すなわち、図５に示すように、ノード１〜３は、Ｏ−ＬＳＰを新規に設定し（ステップ１）、一定時間経過後に（ステップ２）、ボーダルータ４〜７により高いプライオリティのＥ−ＬＳＰが設定されていれば（ステップ３）、全ノードに当該設定情報を広告する（ステップ４）。
【００６４】
（第五実施例）
第五実施例のＯ−ＬＳＰの設定手順を図６を参照して説明する。図６は第五実施例のＯ−ＬＳＰの設定手順を示すフローチャートである。
【００６５】
第五実施例では、新規に設定したＯ−ＬＳＰに一定時間経過後にＥ−ＬＳＰが設定されるときに付与されるプライオリティの内で当該プライオリティの高低を決定する閾値を超えないプライオリティのＥ−ＬＳＰが設定されたときには当該Ｅ−ＬＳＰを他のＯ−ＬＳＰに移して前記新規に設定されたＯ−ＬＳＰを開放する。
【００６６】
すなわち、図６に示すように、ノード１〜３は、新規にＯ−ＬＳＰを設定し（ステップ１）、一定時間経過後に（ステップ２）、低いプライオリティのＥ−ＬＳＰが設定されている場合には（ステップ３）、当該Ｅ−ＬＳＰを他のＯ−ＬＳＰに移し（ステップ４）、新規に設定したＯ−ＬＳＰを開放する（ステップ５）。
【００６７】
（第六実施例）
第六実施例の設定要求の拒否手順を図７を参照して説明する。図７は第六実施例の設定要求の拒否手順を示すフローチャートである。
【００６８】
第七実施例では、ノード１〜３またはボーダルータ４〜７により広告が行われない新規に設定したＯ−ＬＳＰまたはＥ−ＬＳＰに係わるノード１〜３またはボーダルータ４〜７に対して他ノードから当該Ｏ−ＬＳＰまたはＥ−ＬＳＰと重複する設定要求があるときには当該設定要求を拒否する。
【００６９】
すなわち、図７に示すように、Ｏ−ＬＳＰまたはＥ−ＬＳＰに対する設定要求が到着し（ステップ１）、この設定要求の対象となるＯ−ＬＳＰまたはＥ−ＬＳＰがノード１〜３またはボーダルータ４〜７により広告が行われない新規に設定されたＯ−ＬＳＰまたはＥ−ＬＳＰである場合には（ステップ２）、この要求を拒否する（ステップ３）。
【００７０】
（第七実施例）
第七実施例のＥ−ＬＳＰ設定手順を図８を参照して説明する。図８は第七実施例のＥ−ＬＳＰの設定手順を示すフローチャートである。
【００７１】
第七実施例では、Ｅ−ＬＳＰが設定されるときに付与されるプライオリティの内で当該プライオリティの高低を決定する閾値を超えるプライオリティのＥ−ＬＳＰは、全ノードに設定情報が広告されていないＯ−ＬＳＰ上への設定を禁止する。
【００７２】
すなわち、図８に示すように、ボーダルータ４〜７で、高いプライオリティのＥ−ＬＳＰの設定要求が発生したときに（ステップ１）、その要求先は広告されているか否かを判定し（ステップ２）、広告されていればその要求先に設定要求を送出する（ステップ３）。また、広告されていなければ（ステップ２）、要求先を変更し（ステップ４）、最終的には、広告されている要求先に設定要求を送出する（ステップ３）。
【００７３】
（第八実施例）
本実施例のノード１〜３およびボーダルータ４〜７を制御する機能は情報処理装置であるコンピュータ装置を用いて実現することができる。すなわち、コンピュータ装置にインストールすることにより、そのコンピュータ装置に、本実施例のマルチレイヤ光ネットワークに適用されるノード１〜３またはボーダルータ４〜７を制御する機能を実現させるプログラムであって、自己が新規にされたＯ−ＬＳＰまたはＥ−ＬＳＰに係わるノード１〜３またはボーダルータ４〜７であるときには、ノード１〜３またはボーダルータ４〜７が保持する当該Ｏ−ＬＳＰまたはＥ−ＬＳＰの設定情報を特定の条件を満たした場合に限定して全ノードに広告する機能を実現させ、さらに、新規に設定したＯ−ＬＳＰまたはＥ−ＬＳＰに一定時間経過後にトラヒックが存在しない場合あるいは一定時間経過後にもトラヒックが存在するが当該トラヒックを他のＯ−ＬＳＰまたはＥ−ＬＳＰに移せる場合は当該Ｏ−ＬＳＰまたはＥ−ＬＳＰを開放する機能を実現させるプログラムをコンピュータ装置にインストールすることにより、そのコンピュータ装置に第一実施例のノード１〜３またはボーダルータ４〜７を制御する機能を実現させることができる。
【００７４】
また、コンピュータ装置にインストールすることにより、そのコンピュータ装置に、新規に設定したＯ−ＬＳＰまたはＥ−ＬＳＰに一定時間経過後にネットワーク全体で共通に設定された閾値を超えるトラヒックが存在しない場合は当該トラヒックを他のＯ−ＬＳＰまたはＥ−ＬＳＰに移して前記新規に設定したＯ−ＬＳＰまたはＥ−ＬＳＰを開放する機能を実現させるプログラムをインストールすることにより、そのコンピュータ装置に第二実施例のノード１〜３またはボーダルータ４〜７を制御する機能を実現させることができる。
【００７５】
第三実施例のノード１〜３またはボーダルータ４〜７では、前記特定の条件は、新規に設定したＯ−ＬＳＰまたはＥ−ＬＳＰが前記開放する機能により一定時間経過後においても開放されない条件である。
【００７６】
第四実施例のノード１〜３またはボーダルータ４〜７では、前記特定の条件は、新規に設定したＯ−ＬＳＰに一定時間経過後にＥ−ＬＳＰが設定されるときに付与されるプライオリティの内で当該プライオリティの高低を決定する閾値を超えるプライオリティのＥ−ＬＳＰが設定された条件である。
【００７７】
コンピュータ装置にインストールすることにより、そのコンピュータ装置に、新規に設定したＯ−ＬＳＰに一定時間経過後にＥ−ＬＳＰが設定されるときに付与されるプライオリティの内で当該プライオリティの高低を決定する閾値を超えないプライオリティのＥ−ＬＳＰが設定されたときには当該Ｅ−ＬＳＰを他のＯ−ＬＳＰに移して前記新規に設定されたＯ−ＬＳＰを開放する機能を実現させるプログラムをインストールすることにより、そのコンピュータ装置に第五実施例のノード１〜３を制御する機能を実現させることができる。
【００７８】
コンピュータ装置にインストールすることにより、そのコンピュータ装置に自己が前記広告する機能による広告が行われない新規に設定したＯ−ＬＳＰまたはＥ−ＬＳＰに係わるノードであるときには、他ノードから新規のＯ−ＬＳＰまたはＥ−ＬＳＰの設定要求があるときには当該設定要求を拒否する機能を実現させるプログラムをインストールすることにより、そのコンピュータ装置に第六実施例のノード１〜３またはボーダルータ４〜７を制御する機能を実現させることができる。
【００７９】
コンピュータ装置にインストールすることにより、そのコンピュータ装置に、Ｅ−ＬＳＰが設定されるときに付与されるプライオリティの内で当該プライオリティの高低を決定する閾値を超えるプライオリティのＥ−ＬＳＰは、全ノードに設定情報が広告されていないＯ−ＬＳＰ上への設定を禁止する機能を実現させるプログラムをインストールすることにより、そのコンピュータ装置に第七実施例のボーダルータ４〜７を制御する機能を実現させることができる。
【００８０】
本実施例のプログラムは本実施例の記録媒体に記録されることにより、コンピュータ装置は、この記録媒体を用いて本実施例のプログラムをインストールすることができる。あるいは、本実施例のプログラムを保持するサーバからネットワークを介して直接コンピュータ装置に本実施例のプログラムをインストールすることもできる。
【００８１】
これにより、コンピュータ装置を用いて、光パスおよび電気パスの設定情報の広告を必要最小限とし、効率的な運用を図ることができるマルチレイヤ光ネットワークおよびノードを実現することができる。
【００８２】
（実施例まとめ）
第一〜第七実施例で説明したノード１〜３およびボーダルータ４〜７を用いて総括的な動作を説明する。いま、電気パスＥＰ２のトラヒックが増加し、光パスＯＰ１の通信容量では対応できなくなった場合には、ノード１は、新規に光パスＯＰ３を設定し、光パスＯＰ３を使用して電気パスＥＰ３を設定し、増加したトラヒックを電気パスＥＰ３へ移す。しかし増加トラヒックが一時的なものであれば、光パスＯＰ３および電気パスＥＰ３は直ぐに開放し、ボーダルータ６とボーダルータ７との間のトラヒックは元の電気パスＥＰ２へ戻すかも知れないので、ノード１およびノード３は、光パスＯＰ３および電気パスＥＰ３の設定情報を他のノードには広告しない。
【００８３】
新規に光パスＯＰ３を設定してから一定の時間の後に、電気パスＥＰ３のトラヒックを測定して、既にトラヒックが無くなっていれば、ノード１は直ちに電気パスＥＰ３および光パスＯＰ３を開放する。トラヒックが存在すれば、元の電気パスＥＰ２へ移すことができる程度のトラヒック量かを調べ、移せる程度であればトラヒックを電気パスＥＰ２へ移し、電気パスＥＰ３および光パスＯＰ３を開放する。しかし電気パスＥＰ２へ移した場合には、光パスＯＰ２の通信容量を圧迫するまたは超える場合は、光パスＯＰ３および電気パスＥＰ３を長時間継続するパスとして、全ノードへ設定情報を広告する。
【００８４】
また、新規に設定した光パスＯＰ３および電気パスＥＰ３のトラヒック量に閾値を設けておき、一定時間後にトラヒックを測定して、閾値以下ならトラヒックを元の電気パスＥＰ２へ移し、電気パスＥＰ３および光パスＯＰ３を開放し、閾値以上であれば、光パスＯＰ３および電気パスＥＰ３を長時間継続するパスとして、全ノードへ設定情報を広告する。
【００８５】
さらに、Ｅ−ＬＳＰにはプライオリティが設けられており、電気パスＥＰ３を使用するＥ−ＬＳＰのプライオリティが低い場合は、一定時間後にトラヒック量を測定して元の電気パスＥＰ２へ移せるかどうかを判断する。しかし電気パスＥＰ３を使用しているＥ−ＬＳＰのプライオリティが高い場合は、光パスＯＰ３および電気パスＥＰ３を長時間継続するパスとして、全ノードへ設定情報を広告する。
【００８６】
また、光パスＯＰ３および電気パスＥＰ３を設定しているが、全ノードへ広告していないときに、ノード１がノード３から光パスＯＰ３を使用してプライオリティの高い新しいＥ−ＬＳＰの設定を要求された場合は、光パスＯＰ３および電気パスＥＰ３は、一時的なものであるとして広告を差し控えているところへ、新しいＥ−ＬＳＰを設定すると元の電気パスＥＰ３のトラヒックが無くなっても光パスＯＰ３を開放できなくなるため、新しいＥ−ＬＳＰの設定要求を拒否する。
【００８７】
すなわち、光パスＯＰ３は一時的なものであるとして広告を差し控えているところへ、長時間継続する新しいＥ−ＬＳＰが設定されると、光パスＯＰ３の存在を再広告する必要が生じる。しかし、本実施例では、そのような再広告処理は想定しておらず、また、そのような再広告処理を行う機能を増設するとしても処理が煩雑になるため、本実施例では、広告を行っていない光パスＯＰ３へのプライオリティの高い新しいＥ−ＬＳＰの設定要求は拒否することとする。
【００８８】
また、広告を行っていないＯ−ＬＳＰまたはＥ−ＬＳＰに対して他ノードまたはボーダルータから当該Ｏ−ＬＳＰまたはＥ−ＬＳＰと重複する設定要求があるときにも当該設定要求は拒否される。
【００８９】
【発明の効果】
以上説明したように、本発明によれば、光パスおよび電気パスの設定情報の広告を必要最小限とすることにより、マルチレイヤ光ネットワークを効率良く運用できる。
【図面の簡単な説明】
【図１】本実施例のマルチレイヤ光ネットワークの全体構成図。
【図２】第一実施例のＯ−ＬＳＰまたはＥ−ＬＳＰの設定手順を示すフローチャート。
【図３】第二実施例のＯ−ＬＳＰまたはＥ−ＬＳＰの設定手順を示すフローチャート。
【図４】第三実施例の広告手順を示すフローチャート。
【図５】第四実施例の広告手順を示すフローチャート。
【図６】第五実施例のＯ−ＬＳＰの開放手順を示すフローチャート。
【図７】第六実施例の設定要求拒否手順を示すフローチャート。
【図８】第七実施例のＥ−ＬＳＰの設定手順を示すフローチャート。
【符号の説明】
１〜３ ノード
４〜７ ボーダルータ
８〜１０ サブネットワーク
ＯＰ１〜ＯＰ４ 光パス（Ｏ−ＬＳＰ）
ＥＰ１〜ＥＰ３ 電気パス（Ｅ−ＬＳＰ）
【図１】
0003777141.tif 000002
【図２】
0003777141.tif 000003
【図３】
0003777141.tif 000004
【図４】
0003777141.tif 000005
【図５】
0003777141.tif 000006
【図６】
0003777141.tif 000007
【図７】
0003777141.tif 000008
【図８】
0003777141.tif 000009